(57)【要約】  室内の雰囲気を変化させるシステムであって、前記システムは、少なくとも１つの調整可能な雰囲気生成装置３、４、５、６と、前記装置を調整する制御手段８とを有している。更に、前記システムは、消費者製品１によって担持されているデータを受信する信号受信手段７を有しており、前記制御手段は、前記信号受信手段によって受信されたデータに依存して前記装置を調整することができる。前記消費者製品は、受動的無線周波数タグ２を具備することができる。
2008529560.tif 000002
【特許請求の範囲】
【請求項１】
室内の雰囲気を変化させるシステムであって、少なくとも１つの調整可能な雰囲気生成装置と、前記のような装置を調整する制御手段とを有するシステムにおいて、消費者製品によって担持されているデータを受信する信号受信手段であって、前記制御手段が、前記信号受信手段によって受信される前記データに依存して前記装置を調整することができる、信号受信手段を特徴とする、システム。
【請求項２】
前記消費者製品によって担持されている前記データが、前記雰囲気生成装置の所定の調整に関する情報を含んでいることを特徴とする、請求項１に記載のシステム。
【請求項３】
前記消費者製品が、データ発信要素を具備していることを特徴とする、請求項１又は２に記載のシステム。
【請求項４】
前記データ発信要素が無線周波数（ＲＦ）タグであることを特徴とする、請求項３に記載のシステム。
【請求項５】
前記雰囲気生成装置が、自身の光の強度及び／又は色が前記制御手段によって調整可能であるランプを含むことを特徴とする、請求項１ないし４の何れか一項に記載のシステム。
【請求項６】
前記雰囲気生成装置が、自身の音量及び／又は音楽ジャンルが前記制御手段によって調整可能である音楽プレーヤを含むことを特徴とする、請求項１ないし５の何れか一項に記載のシステム。
【請求項７】
前記雰囲気生成装置が室内の温度を調整するヒータ／クーラ装置を有しており、前記空気の温度及び／又は他の条件は前記制御手段によって調整可能であることを特徴とする、請求項１ないし６の何れか一項に記載のシステム。
【請求項８】
前記制御手段は前記インターネットに接続されており、前記消費者製品によって担持されている識別コードに依存して前記雰囲気生成装置の所定の調整に関する情報を検索することができることを特徴とする、請求項１ないし７の何れか一項に記載のシステム。
【請求項９】
前記のような製品は、該製品を使用する又は消費する際に生成されるべき所定の雰囲気に関する情報を含んでいる受動的無線周波数タグを具備していることを特徴とする、請求項１ないし８の何れか一項に記載のシステム。
【請求項１０】
少なくとも１つの調整可能な雰囲気生成装置が制御手段によって調整される、室内の雰囲気を変化させる方法において、信号受信手段が、消費者製品によって担持されているデータを受け取り、前記制御手段が、前記信号受信手段によって受信されるデータに依存して前記装置を調整することを特徴とする、方法。
【発明の詳細な説明】
【技術分野】
【０００１】
本発明は、室内の雰囲気を変化させるシステムであって、少なくとも１つの調整可能な雰囲気生成装置と、前記装置を調整する制御手段とを有するシステムに関する。
【背景技術】
【０００２】
前記のような雰囲気生成装置は、室内を照明する１つ以上のランプ、ＣＤプレーヤのような音楽生成装置、及び／又は前記室内の或る温度を確立するエアコン装置等であることができる。
【０００３】
室内の雰囲気の調整は、該雰囲気を室内に居る（複数の）人の願いに適応化させるために望まれ得るものであり、前記のような願いは、しばしば、当該人が行おうとしている活動に依存するものである。例えば、勤務後に帰宅する場合、リラックスさせる音楽をオンに切り換え、新聞を読むためにリビングルームに十分な照明を供給したいと願うかもしれない。又は、他の状況において、例えば、室内の（複数の）人が、就寝前にグラス１杯のワインを飲みたい場合、拡散照明及びロマンティックな音楽を供給したいと願うかもしれない。
【０００４】
室内の雰囲気を、この室内の人の願いに自動的に適応化させるために、雰囲気生成装置は、一日の時刻に、天気に、前記制御手段内にプログラムされることができる他のデータに、及び／又は前記制御手段によって検出されることができる状況に依存して制御されることができる。
【発明の開示】
【発明が解決しようとする課題】
【０００５】
本発明の目的は、室内の雰囲気を自動的に変化させるシステムであって、前記雰囲気が、当該室内に居る（複数の）人がしようとしている活動に依存して適応化される、及び／又はこの部屋で使用されている又は消費されている製品と関連付けられている雰囲気が生成される、システムを提供することにある。
【課題を解決するための手段】
【０００６】
この目的を達成するために、前記室内の雰囲気を変化させるシステムは、消費者製品によって担持されるデータを受け取る信号受信手段であって、前記制御手段が、前記信号受信手段によって受信されたデータに依存して前記雰囲気生成装置を調整することができる、信号受信手段を有する。前記消費者製品は、情報担体を備えていても良い。前記消費者製品上のデータは、単に、これによって（複数の）前記雰囲気生成装置の対応する設定が前記制御手段内にプログラムされる識別コードであっても良い。しかしながら、前記データは、前記のような（複数の）装置の所要の調整（設定）に関する情報を含んでいるのが好ましい。
【０００７】
室内に居る（複数の）人の活動は、しばしば、前記活動の間に使用される又は消費されるべき或る消費者製品と関連している。従って、前記消費者製品の存在が検出された後の、室内の（複数の）人の活動を予測することが可能であり、前記消費者製品によって担持される所定のデータは、当該システムの前記信号受信手段（又は検出器）によって検出される。
【０００８】
情報担体を具備している消費者製品は、米国特許第２００２／００２６３２５号に開示されている。この出版物は、食品管理システムであって、食品は、当該食品が冷蔵庫内に貯蔵される場合に自動的に読み取られる識別担体を具備している。前記食品の識別の後、前記食品の処理に関する情報が、前記食品管理システムによって利用可能になる。
【０００９】
前記消費者製品と、該消費者製品によって担持されている情報との存在は、幾つかの仕方において検出されることができる。例えば、前記消費者製品が、液体を含んでいる瓶のような、容器である場合、前記容器は、該容器が開けられる前に位置され得るホルダ内の検出器によって認識されることができる特定の形状を与えられ得る。例えば、前記瓶は、拡散照明及び柔らかなロマンティックな音楽を含む或る雰囲気が作られるリビングルームにおいて飲まれるべきワインのような液体を含んでいても良い。他の例において、前記瓶は芳香バスオイルを含んでいても良く、前記瓶によって担持されている或るデータが検出器によって認識され、バスルームの所定の照明を生じる。
【００１０】
前記消費者製品は、情報を含んでいるバーコードであっても良く、バーコードリーダが、前記のような製品が使用される又は消費される室内に設けられる。しかしながら、１つの好適な実施例において、前記消費者製品又は該消費者製品の容器は、データを発する要素、好ましくは無線周波数（ＲＦ）タグ、より好ましくは受動的無線周波数タグを具備している。
【００１１】
無線周波数通信タグ、又は識別タグは、２種類（即ち能動的又は受動的タグ）において出回っている。能動的無線周波数タグは、電池又は他の電源を含んでおり、前記信号受信手段（即ち読み取り装置）からの信号によって活性化される。活性化された無線周波数タグは、自身の識別子及び／又は他のデータを放送し、これらは、前記読み取り装置によって捕捉される。能動的無線周波数のタグの、受動的無線周波数タグを上回っている利点は、電源の包含により、当該タグの回路に電力を給電するための電磁場内に入ることなしに、前記能動的無線周波数タグが前記信号受信手段に送信することを可能にすることである。能動的無線周波数のタグは、一般に、長距離に渡って送信することもできる。能動的無線周波数タグの前記のような利点は、自動料金支払いシステム等における使用に繋がっている。しかしながら、能動的無線周波タグは、受動的無線周波数タグと比較して、或る不利な点を有している。例えば、前記能動的無線周波数タグは、電池又は他の電源を必要とし、無線周波数タグよりも高価である又は重い。更に、前記能動的無線周波数タグは、前記電池又は他の電源が枯渇している場合、役に立たない。
【００１２】
受動的無線周波数タグは、これ自体は電源を有していないが、電力は、電磁電力受信機を使用することによって前記無線周波数タグの回路に供給される。前記無線周波数のタグ読み取り装置、即ち信号受信手段は、前記無線周波数タグの電磁電力受信機に電力を送信し、従って、前記無線周波数のタグの回路の電源を入れる又は該回路をオンにする。次いで、前記受動的無線周波数タグは、識別子及び／又は他の情報を含む応答信号を放送し、次いで、該応答信号は、前記読み取り装置によって読み取られる。前記受動的無線周波数タグは電池を有していないので、高価でなく軽い。受動的無線周波数タグは、以前から、特に、ユーザがドアを開錠するためにカードリーダの傍得に保持するセキュリティアクセスカードにおいて、及び、衣類品目に取り付けられているセキュリティタグとして衣料品店舗において使用されている。
【００１３】
如何なる種類の情報を含むデータも、取り付けられる製品を識別するために及び／又はこの製品と一緒に利用可能な或る情報を有するために、前記無線周波数タグ内に記憶されることができる。このデータは、前記タグが前記信号受信手段（リーダ）によって給電され、これにより、前記無線周波数タグからリーダまでの伝送されるべきデータを含む無線周波数信号を発するのに使用される電磁エネルギが、前記無線周波数タグによって受け取られた場合に、前記無線周波数タグによって放送される。
【００１４】
前記無線周波数タグは、前記製品の製造者によって、前記消費者製品又は該消費者製品の容器に取り付けられることができる。前記製造者は、室内の前記信号受信手段によって受け取られることができる適切な情報を前記無線周波数タグに供給することによって、前記のような製品が消費されている又は使用されている部屋の雰囲気を決定することができる。人が前記製品を前記信号受信手段の傍に、少しの間、保持する必要があり得て、この結果、前記人が、前記所定の雰囲気が生成されるか生成されないかを決定することができる。
【００１５】
一つの好適な実施例において、前記雰囲気生成装置は、自身の光の強度及び／又は色が前記制御手段によって調整可能であるランプを有する。室内の照明は、しばしば、前記室内の雰囲気を主に創作しているものであり得る。従って、室内の雰囲気は、例えば、前記室内のテーブルに向かって又は壁における絵画に向かって、光ビームを生成するスポットライトによる照明から柔らかい拡散光を生成するランプによる照明に、照明を変更することによって容易に影響され得る。前記光の色及び強度が、室内の雰囲気を決定することがある。
【００１６】
前記雰囲気生成装置は、好ましくは、音楽プレーヤを含んでおり、該音楽プレーヤの音量及び／または音楽ジャンルは、前記制御手段によって調整可能である。照明から離れて、室内のバックグラウンドミュージックが、当該室内の或る所定の雰囲気に関して責任を負っていても良い。一つの好適実施例において、前記雰囲気生成装置は、前記室内の温度を調整するヒータ／クーラ装置を有しており、空気の温度及び／又は他の条件が、前記のような制御手段によって調整可能である。
【００１７】
一つの好適実施例において、前記制御手段はインターネットに接続されており、前記消費者製品によって担持されている識別コードに依存して、前記雰囲気生成装置の所定の調整に関する情報を検索することができる。前記消費者製品の製造者（又は他の会社）は、インターネットサイト上に、前記雰囲気生成装置の調整に関して必要とされる情報を置くことができ、前記のようなサイトは、前記消費者製品の或る識別コードがリーダによって読み取られ、前記制御装置に転送された後に、自動的に訪問されることができる。
【００１８】
本発明は、前記製品を使用する又は消費する場合に作成されるべき所定の雰囲気に関連付けられている情報を含む受動的無線周波数タグを具備している消費者製品にも関する。
【００１９】
本発明は、更に、室内における前記雰囲気を変化させる方法であって、少なくとも１つの調整可能な雰囲気生成装置が制御手段によって調整され、信号受信手段が消費者製品によって担持されているデータを受け取り、前記制御手段は、前記のような装置を、前記信号受信手段によって受信されたデータに依存して調整する、方法にも関する。
【００２０】
上述のシステム及び方法を使用することによって、会社が、公衆に製品を販売するだけでなく、前記製品と一緒に、当該製品が使用される又は消費されることができる所定の雰囲気を提供すること可能である。当該システムは、多くの人が暮らしたいと思うスマートな環境に合うものである。
【発明を実施するための最良の形態】
【００２１】
本発明のこれら及び他の見地は、以下に記載される実施例を参照して、明らかになり、説明されるであろう。
【００２２】
図１は、これによってバスルーム内の前記雰囲気が入浴の間に使用されるバスオイルの種類に依存して変化されるシステムを、模式的に示している。選択されたバスオイルを有する容器１（瓶）が、或る情報が記憶されている受動的無線周波数タグを具備しており、前記情報は、複数の雰囲気生成装置３、４、５、６の設定を含んでいる。無線周波数読み取り器７は、前記バスルーム内に設けられており、前記のような装置は、図１に示されているように、このタグ２が前記無線周波数読み取り器７に対して近くに保持された場合、受動的無線周波数タグ２に給電する電磁場を生成する。次いで、無線周波数タグ２は、前記読み取り器７に自身の情報を放送し、前記情報は、制御装置８に転送される。制御装置８は、４つの雰囲気生成装置に接続されており、該４つの雰囲気生成装置は、前記バスルーム内の照明システム３、音楽生成装置４（この場合、ＣＤプレーヤ）、前記バスルーム内の温度を所望の値に保持する加熱装置５、及び或る芳香を拡散する芳香ディスペンサ６である。
【００２３】
照明システム３は、所望の雰囲気の生成に貢献することができ、制御装置８は、直接光と拡散光との間などで変化することができるように、前記光の色及び強度を調整する、及び或るランプをオン又はオフに切り換える。ＣＤプレーヤ４は、ロマンティックな音楽、リラックスさせる音楽、刺激的な音楽等の種々の音楽ジャンルの複数のＣＤを含んでいるカセットを具備している。制御装置８は、再生されるべきＣＤを選択することができる。加熱装置５は、熱放射を生成することができると共に、加熱された又は冷却された空気を生じることができる。制御装置８によって規定される放射及び対流の両方の加熱方法の或る組み合わせは、前記バスルーム内の雰囲気に影響を及ぼす。芳香ディスペンサ６は、制御装置８によって選択されるべき、種々の種類の芳香を拡散することができる。
【００２４】
図１に関連して、図２は、本発明の上述された実施例による、バスオイル容器１における無線周波数タグ２を読み取り、前記バスルーム内の所定の雰囲気を生成するように自身の中身を使用する過程のフローチャートである。前記過程は、入浴したいと思っている人が、自身が入浴の間に使用したいと思うバスオイルを含んでいる容器１を無線周波数読み取り器７の近傍に保持する（過程のステップ１２）場合、開始する（過程のステップ１１）。前記無線周波数タグ内の情報は、読み取り器７によって読み取られ（過程のステップ１３）、制御装置８に転送される（過程のステップ１４）。次いで、制御装置８は、種々の雰囲気生成装置３、４、５、６に対する設定（過程のステップ１５）を規定し、前記設定は、読み取り器７から受け取られた情報に予め記述されている．適切な制御信号が、雰囲気生成装置３、４、５、６の各々に送信され（過程のステップ１６、雰囲気生成装置３、４、５、６の各々は、自身に送信された前記制御信号に従って調整される（過程のステップ１７）。前記のような過程が終了し（過程のステップ１８）、人は、前記バスオイルの製造者によって予め決定されている雰囲気において入浴することができる。
【００２５】
当業者であれば、本発明のシステム及び方法の様々な変更及び変形が、本発明の精神及び範囲から逸脱することなしに可能であることは、明らかであろう。
【図面の簡単な説明】
【００２６】
【図１】消費者製品によって担持される情報に依存して、室内の雰囲気を変化させるシステムの模式的表現である。
【図２】消費者製品によって担持される情報に依存して、前記雰囲気を調整する過程のフローチャートである。
【図１】
2008529560.tif 000003
【図２】
2008529560.tif 000004
【国際調査報告】
2008529560.tif 000005
2008529560.tif 000006